(57)【要約】【課題】  挿入できる玉数に限界がなく、挿入荷重を低減させることが可能となり、内外輪みぞ、玉に圧痕がつく可能性を低減させ、保持器の変形も防止が可能となる転がり軸受用の保持器を提供する。【解決手段】  ハードディスクドライブ装置のスイングアーム用ピボット軸受装置に用いられ、玉、保持器、密封板により構成され、少なくとも内輪または外輪の一方が係り代を有さないカウンターボアタイプの転がり軸受の保持器において、保持器はプラスチック製であり、保持器は、玉を挿入するため環状に配置された爪付きポケット部と爪無しポケット部とを有し、爪付きポケット部と爪無しポケット部との間の柱部の上面に凹部が設けられ、爪付きポケット間には少なくとも一つ以上の爪無しポケット部が設けられている。【選択図】  図２
2005325884.tif 000002
【特許請求の範囲】
【請求項１】
ハードディスクドライブ装置のスイングアーム用ピボット軸受装置に用いられ、玉、保持器、密封板により構成され、少なくとも内輪または外輪の一方が係り代を有さないカウンターボアタイプの転がり軸受の保持器において、前記保持器はプラスチック製であり、前記保持器は、前記玉を挿入するため環状に配置された爪付きポケット部と爪無しポケット部とを有し、前記爪付きポケット部と爪無しポケット部との間の柱部の上面に凹部が設けられ、前記爪付きポケット間には少なくとも一つ以上の前記爪無しポケット部が設けられていることを特徴とする保持器。
【請求項２】
前記爪付きポケットは内面が球面であり、前記爪無しポケットは径方向の内面が円筒形であることを特徴とする請求項１に記載の保持器。
【請求項３】
前記爪付きポケットは径方向の内面が円筒形であり、前記爪無しポケットは内面が球面であることを特徴とする請求項１に記載の保持器。
【請求項４】
前記爪無しポケット間の柱部の上面に凹部を設けたことを特徴とする請求項１−３のいずれか１項に記載の保持器。
【請求項５】
前記保持器は、ナイロン樹脂にガラス繊維を10〜35％含有させた材料から形成されていることを特徴とする請求項１−４のいずれか１項に記載の保持器。
【請求項６】
請求項１〜５のいずれか１項に記載の保持器を有する転がり軸受。
【請求項７】
請求項６に記載の転がり軸受を用いた軸受装置。
【発明の詳細な説明】
【技術分野】
【０００１】
本発明は、ハードディスクドライブ装置（以下、「ＨＤＤ装置」とする）のスイングアーム用ピボット軸受に用いられる保持器の改良に関する。
【背景技術】
【０００２】
従来のスイングアーム用軸受装置では，軸受は内・外輪、玉、保持器、密封板、軸、ハウジングで構成され、密封板を有する軸受２個に予圧をかけて使用されている。さらに、ハウジング両端面にキャップを設けている軸受装置となっている。
【０００３】
このような軸受の一例としては、例えば、特許文献１に記載のものがある。特許文献１は、保持器強度の向上と収容玉数の増加のため、一つのポケットに２個の玉を収容するように構成することを提案している。
【０００４】
また、特許文献２は、ポケット間の柱部の変形を防止した薄型保持器を開示している。この文献では、ポケットの開口幅などの寸法を所定のものとすることで、玉の挿入時における保持器柱部の変形を防止している。
【０００５】
特許文献３は、爪無しポケットと爪付きポケットとの間の柱部、すなわち隔壁部の厚みを減少するため、ポケットの配列ピッチを小さくすることで玉の装填個数を増大した保持器を開示している。
【０００６】
この出願の発明に関連する先行技術文献情報としては次のものがある。
【特許文献１】特開平７−２０８４８３号公報（第２頁、図１等）
【特許文献２】特開２００３−８３３３５号公報（第３頁、図１等）
【特許文献３】実開平４−１１１９２０号公報（第２頁、図４等）
【発明の開示】
【発明が解決しようとする課題】
【０００７】
しかしながら、従来の深溝玉軸受では、組立上の玉径や玉数に限界があり、剛性の向上が望めないという問題があった。さらに、従来のカウンターボアを有する玉軸受においては、カウンターボアを有する溝に係り代を設けてあるのが一般的であるため、挿入できる玉数に限界があり、組立時に高周波焼き嵌めを行わなければならず、高温耐久性のあるフェノール材料等を使用した保持器を使用しなければならなかった。
【０００８】
従って、本発明の目的は、挿入できる玉数に限界がなく、挿入荷重を低減させることが可能となり、内外輪みぞ、玉に圧痕がつく可能性を低減させ、保持器の変形も防止が可能となる転がり軸受用の保持器を提供することである。
【課題を解決するための手段】
【０００９】
上記目的を達成するため、本発明の転がり軸受用保持器は、
ハードディスクドライブ装置のスイングアーム用ピボット軸受装置に用いられ、玉、保持器、密封板により構成され、少なくとも内輪または外輪の一方が係り代を有さないカウンターボアタイプの転がり軸受用保持器において、前記保持器はプラスチック製であり、前記保持器は、前記玉を挿入するため環状に配置された爪付きポケット部と爪無しポケット部とを有し、前記爪付きポケット部と爪無しポケット部との間の柱部の上面に凹部が設けられ、前記爪付きポケット間には少なくとも一つ以上の前記爪無しポケット部が設けられていることを特徴としている。
【００１０】
爪付きポケット間には少なくとも一つ以上の爪無しポケット部が設けたことにより、以下の作用が生じる。
【発明の効果】
【００１１】
(1)  軸受玉数を増やすことが可能となる。従来のプラスチック保持器ではポケット全てに爪部を設けることにより玉を保持していることから、爪部が設計できないとそれ以上の玉数を挿入することができなかった。しかし、爪付きポケット間に少なくとも一つ以上の爪無しポケット部が設けたことにより、ポケット間の肉厚を狭める設計が可能となり、玉数を増やすことが可能となる。
【００１２】
(2)  保持器挿入時に玉−内外輪にかかる荷重を低減させることが可能となる。従来のプラスチック保持器ではポケット全てに爪部を設けられていることにより、保持器挿入時に玉、内外輪、保持器に過大な挿入荷重がかかり、内外輪みぞ、玉に圧痕がつく可能性があり、保持器も変形してしまう可能性があった。爪付きポケット間に少なくとも一つ以上の爪無しポケット部が設けたことにより、挿入荷重を低減させることが可能となり、内外輪みぞ、玉に圧痕がつく可能性を低減させ、保持器の変形も防止が可能となる。
【００１３】
(3)  爪無しポケット間の柱部平面にグリース封入が可能となる。従来のプラスチック保持器ではポケット全てに爪部を設けることにより玉を保持していることから、玉数が増えると保持器柱部の爪間が狭まりグリースを乗せるスペースが確保できなかった。しかし、爪付きポケット間に少なくとも一つ以上の爪無しポケット部を設けたことにより、爪無しの柱を設けることで柱部平面にグリースを乗せる充分なスペースを設けることが可能となる。
【００１４】
爪部ポケットが球面ポケット、爪無しポケットが円筒ポケット、または、爪部ポケットが円筒ポケット、爪無しポケットが球面ポケットであるため、内外輪・玉組立時に球面ポケット数のみ玉を組立て、その後円筒ポケットに玉を挿入することが可能となる。また、軸受組立時に玉数が多いと玉分けが困難となる。しかし、球面ポケット分の玉数を玉分けするのは通常の玉軸受と同様に簡単に玉分けが可能である。さらに、外輪（内輪）・保持器・玉内側（外側）から玉を挿入することが可能となる。
【００１５】
爪無しポケットの柱部の上面に凹部を設けたことで、グリース封入の安定化が可能となる。また、軸受回転時にグリースの移動がしにくくなる。
【００１６】
保持器を、ナイロン材脂にガラス繊維を１０−３５％含有している材料から作ることで、耐熱性が高くない樹脂材料にガラス繊維を含有させ成型した保持器が使用可能となる。従来のカウンターボアを有する玉軸受においては、外輪を膨張させ組み立てる必要性があり、組立工程中に高温にする必要性があるため、耐熱性の高いフェノール樹脂による削り出し保持器等を使用する制約があり、高コスト、製品寸法の制限、形状の制限があった。しかしカウンターボアを有し係り代を有さない玉軸受に関しては組立工程中に高温にする必要性がないため、耐熱性の低いナイロン等の樹脂にガラス繊維を含有させた成型保持器が使用可能となる。
【実施例】
【００１７】
以下、添付図面を参照して本発明の実施例を詳細に説明する。図面中、同一部分は同一符号にて示してある。尚、以下説明する各実施例は本発明を例示として説明するものであり、いかなる意味でも本発明を限定するものではないことは言うまでもない。
【００１８】
図１は、本発明の第1実施例の保持器を示す斜視図である。保持器１は、不図示のＨＤＤ装置のスイングアーム用ピボット軸受装置２０（図４参照）の、少なくとも内輪又は外輪の一方が係り代を有さないカウンターボアタイプとし、玉、保持器、密封板により構成される転がり軸受用の保持器である。後述の第２及び第３実施例においても同様である。
【００１９】
図１において、ほぼ環状の保持器１は、軸方向の一端に開口する複数のポケットを有している。転動体である玉（図４参照）が回動可能に嵌合するポケットは、開口部の両側に径方向外方へ突出する爪部４を有する爪付きポケット３と爪無しポケット２とが、周方向で交互に設けられている。図５からわかるように、爪付きポケット３と爪無しポケット２とは、ほぼ同一の径を有するように設けられるが、僅かに異なるように設けることもできる。
【００２０】
爪部４は、爪付きポケット３の開口部を覆うように湾曲しており、爪付きポケット３の開口部両端から延在している。爪付きポケット３と爪無しポケット２との間には、両ポケットを分離する柱部６が形成されているが、この柱部６の上面５の一部は爪部４が形成され、残りがほぼ平坦な平坦面となっており、そこに所定の深さを有する凹部９が形成されている。
【００２１】
凹部９には、グリースなどの潤滑油が充填される。グリースは凹部９に収容されているので、軸受回転時にグリースが凹部外へ流出（移動）しにくく、良好な潤滑性能が得られる。凹部９は、全ての柱部６の上面５に設けることもできるが、所望の潤滑性を得るために必要な個数を設ければよい。
【００２２】
図２は、本発明の第２実施例の保持器を示す斜視図である。第１実施例では、爪付きポケット３と爪無しポケット２とが交互に、すなわち爪付きポケット３間にひとつの爪無しポケット２が配置されていたが、第２実施例では爪付きポケット３間に２つの爪無しポケット２が配置されている。
【００２３】
第２実施例では、図２に示すように爪無しポケット３の間に２つの爪無しポケット２が並んで配置されているので、爪無しポケット２間にも柱部７が形成されている。この柱部７には爪部４が設けられないので、柱部７の上面１０は、ほぼ平坦な面となっている。
【００２４】
上面１０には、グリースが封入される凹部８が設けられている。凹部８は、凹部９に比べて大きいため、充分な量のグリースが封入できるので、潤滑性が更に良好になる。尚、図２において凹部８は、全ての柱部７に設けられているが、必ずしもそのようにする必要はなく、必要な潤滑性に応じて個数は任意に選択できることは言うまでもない。また、第２実施例では、爪付きポケット３と爪無しポケット２との間の柱部６には、凹部を設けていないが、第１実施例のように設けることもできる。
【００２５】
図３は、本発明の第３実施例の保持器を示す斜視図である。本実施例では、第２実施例と同様に、爪付きポケット３間に複数の爪無しポケット２を配置している。第３実施例では爪付きポケット３間に３つの爪無しポケット２が配置されている。
【００２６】
第３実施例では、図３に示すように爪無しポケット３の間に３つの爪無しポケット２が並んで配置されているので、爪無しポケット２間に２つの柱部７が形成されている。第２実施例と同様に、柱部７には爪部４が設けられないので、柱部７の上面１０は、ほぼ平坦な面となっている。
【００２７】
上面１０には、グリースが封入される凹部８が設けられている。凹部８は、凹部９に比べて大きいため、充分な量のグリースが封入できるので、潤滑性が更に良好になる。また、第２実施例に比べて凹部の数が多くなるので、潤滑性の一層の向上が可能となる。尚、図３において凹部８は、全ての柱部７に設けられているが、必ずしもそのようにする必要はなく、必要な潤滑性に応じて個数は任意に選択できることは言うまでもない。例えば、隣り合う柱部７のいずれか一方に設けることもできる。また、第２実施例では、爪付きポケット３と爪無しポケット２との間の柱部６には、凹部を設けていないが、第１実施例のように設けることもできる。
【００２８】
ここで、図４を参照して、本発明の保持器１が用いられる軸受２０及び軸受装置３０を説明する。玉軸受２０は、環状の外輪１１と、外輪１１と同芯に配置された環状の内輪１２とからなり、外輪１１と内輪１２との間には、複数の玉１３が保持器１に保持されて配置される。不図示のＨＤＤ装置のスイングアーム用ピボット軸受である軸受装置３０は、２個の玉軸受２０により、軸方向の両端を回転可能に支持された軸１４と、玉軸受２０の外輪１１に嵌合したハウジング１５と、ハウジング１５に固定されたスイングアーム１６とからなる。また、玉軸受２０は、密封板１７により、外部から密封されている。
【００２９】
上述の第１〜３実施例において、爪付きポケット３と爪無しポケット２の内面形状は以下のような組み合わせが可能である。爪付きポケット３は球面、爪無しポケットが円筒である。逆に、爪付きポケット３は円筒、爪無しポケット２が球面である。このようにすれば、内外輪・玉組立時に球面のポケット数のみ玉を組立て、その後円筒のポケットに玉を挿入することが可能となる。
【００３０】
また、爪付きポケット及び爪無しポケットの区別無く、全てのポケットの内面を球面、または円筒にすることも可能である。また、各実施例において、保持器１は、ナイロン樹脂にガラス繊維を１０〜３５％含有した材料から作られる。これにより、耐熱性が高くない樹脂材料にガラス繊維を含有させ成型した保持器が使用可能となる。
【００３１】
以上、本発明の各実施例を説明したが、本発明は上述の構成に限定されるものではなく、例えば以下のような変更が可能である。各ポケットは、保持器１の軸方向の一端にのみ設けたが、軸方向の両端に設ける、すなわち二重にして軸方向に２列の玉を保持する構成にすることもできる。
【００３２】
第１実施例の凹部９、第２及び第３実施例の凹部８は、矩形の形状で図示したが、例えば、円形などの他の形状ももちろん可能である。また、凹部８及び９は、単数または複数の溝として設けることもできる。各実施例では、軸受を玉軸受としたが、他のタイプの転がり軸受とすることももちろん可能である。
【図面の簡単な説明】
【００３３】
【図１】本発明の第1実施例の保持器を示す斜視図である。
【図２】本発明の第２実施例の保持器を示す斜視図である。
【図３】本発明の第２実施例の保持器を示す斜視図である。
【図４】本発明の各実施例の保持器が適用できる転がり軸受を用いた軸受装置の軸方向断面図である。
【図５】図１の保持器の部分側面図である。
【符号の説明】
【００３４】
１    保持器
２    爪無しポケット
３    爪付きポケット
４    爪部
５    上面
６    柱部
７    柱部
８    凹部
９    凹部
１０  上面
２０  玉軸受
３０    軸受装置
【図１】
2005325884.tif 000003
【図２】
2005325884.tif 000004
【図３】
2005325884.tif 000005
【図４】
2005325884.tif 000006
【図５】
2005325884.tif 000007